(57)【要約】【課題】  映像および音声をディジタル信号で記録する光ディスクと、映像および音声をアナログ信号で記録するビデオテープとの間で、相互に映像および音声の複写が行え、且つ映像および音声を複写する記録媒体の記録領域を有効に利用できるダビング装置を提供する。【解決手段】  ダビング装置１は、ＤＶＤからビデオテープへの映像および音声の複写の実行が指示されると、本体にセットされているビデオテープの残量、およびこのビデオテープへ複写する映像および音声の再生時間を検出し、これらに基づいてビデオテープに対する映像および音声の記録を標準モードで行うか、３倍速モードで行うかを決定する。また、ビデオテープからＤＶＤへの映像および音声の複写の実行が指示されると、ＤＶＤの空き容量、およびこのＤＶＤへ複写する映像および音声の再生時間を検出し、これらに基づいてＤＶＤに記録する映像および音声の圧縮率を決定する。【選択図】  図１
2005149559.tif 000002
【特許請求の範囲】
【請求項１】
本体にセットされた光ディスクに対する映像および音声の記録、および前記光ディスクに記録されている映像および音声の再生を行う第１の記録再生手段と、
本体にセットされたビデオテープに対する映像および音声の記録、および前記ビデオテープに記録されている映像および音声の再生を行う第２の記録再生手段と、を備えたダビング装置において、
前記第１の記録再生手段により前記光ディスクに記録されている映像および音声を再生し、前記第２の記録再生手段により再生されている映像および音声を前記ビデオテープに記録する第１の複写手段と、
前記第２の記録再生手段により前記ビデオテープに記録されている映像および音声を再生し、前記第１の記録再生手段により再生されている映像および音声を前記光ディスクに記録する第２の複写手段と、
前記第１の複写手段の実行が指示されたときに、本体にセットされているビデオテープの残量、およびこのビデオテープへ複写する映像および音声の再生時間を検出し、ここで検出したビデオテープの残量および再生時間に基づいてビデオテープに対する映像および音声の記録を標準モードで行うか、３倍速モードで行うかを決定する第１の記録モード決定手段と、
前記第２の複写手段の実行が指示されたときに、本体にセットされている光ディスクの空き容量、およびこの光ディスクへ記録する映像および音声の再生時間を検出し、ここで検出した光ディスクの空き容量および再生時間に基づいて光ディスクに記録する映像および音声の圧縮率を予め定められた複数の圧縮率の中から決定する第２の記録モード決定手段と、を備え、
前記第１の記録モード決定手段は、前記第１の複写手段の実行が指示されたときに、本体にセットされているビデオテープを最後まで早送りし、このビデオテープの残量を検出し、
前記第２の記録モード決定手段は、前記第２の複写手段の実行が指示されたときに、本体にセットされているビデオテープを最後まで早送りし、光ディスクに記録する映像および音声の再生時間を検出し、
さらに、前記第１の複写手段の実行を指示する第１のボタンと、前記第２の複写手段の実行を指示する第２のボタンを有する入力手段を備えたダビング装置。
【請求項２】
本体にセットされた光ディスクに対する映像および音声の記録、および前記光ディスクに記録されている映像および音声の再生を行う第１の記録再生手段と、
本体にセットされたビデオテープに対する映像および音声の記録、および前記ビデオテープに記録されている映像および音声の再生を行う第２の記録再生手段と、を備えたダビング装置において、
前記第１の記録再生手段により前記光ディスクに記録されている映像および音声を再生し、前記第２の記録再生手段により再生されている映像および音声を前記ビデオテープに記録する第１の複写手段と、
前記第２の記録再生手段により前記ビデオテープに記録されている映像および音声を再生し、前記第１の記録再生手段により再生されている映像および音声を前記光ディスクに記録する第２の複写手段と、
前記第１の複写手段の実行が指示されたときに、本体にセットされているビデオテープの残量、およびこのビデオテープへ複写する映像および音声の再生時間を検出し、ここで検出したビデオテープの残量および再生時間に基づいてビデオテープに対する映像および音声の記録を標準モードで行うか、３倍速モードで行うかを決定する第１の記録モード決定手段と、
前記第２の複写手段の実行が指示されたときに、本体にセットされている光ディスクの空き容量、およびこの光ディスクへ記録する映像および音声の再生時間を検出し、ここで検出した光ディスクの空き容量および再生時間に基づいて光ディスクに記録する映像および音声の圧縮率を予め定められた複数の圧縮率の中から決定する第２の記録モード決定手段と、を備えたダビング装置。
【請求項３】
前記第１の記録モード決定手段は、前記第１の複写手段の実行が指示されたときに、本体にセットされているビデオテープを最後まで早送りし、このビデオテープの残量を検出する請求項２に記載のダビング装置。
【請求項４】
前記第２の記録モード決定手段は、前記第２の複写手段の実行が指示されたときに、本体にセットされているビデオテープを最後まで早送りし、光ディスクに記録する映像および音声の再生時間を検出する請求項２または３に記載のダビング装置。
【請求項５】
前記第１の複写手段の実行を指示する第１のボタンと、前記第２の複写手段の実行を指示する第２のボタンを有する入力手段を備えた請求項２〜４のいずれかに記載のダビング装置。
【発明の詳細な説明】
【技術分野】
【０００１】
この発明は、光ディスク（特にＤＶＤ）とビデオテープとの間で、一方に記録されている映像および音声を他方に記録するダビング装置に関する。
【背景技術】
【０００２】
従来、映像および音声をアナログ信号でビデオテープに記録するビデオカセットレコーダ（ＶＣＲ）や、映像や音声をディジタル信号でディジタルバーサタイルディスク（以下、ＤＶＤと言う。）に記録するＤＶＤレコーダが実用化され、一般に普及している。また、これらの装置の普及にともない、ビデオテープやＤＶＤに記録されている映像および音声を別のビデオテープやＤＶＤに複写するユーザも多い。映像および音声の複写は、同じ種類の記録媒体間で行われることもあれば、異なる種類の記録媒体間で行われることもある。特に最近では、ビデオテープにアナログ信号で記録した映像および音声は経時劣化が大きいことから、多くのユーザがビデオテープに記録している映像および音声をＤＶＤに複写している。例えば、旅行中にビデオカメラで撮像した映像および音声を、いつまでも鮮明な映像および音声で残しておくために、ＤＶＤに複写するユーザが多い。ＤＶＤは、周知のように映像および音声をディジタル信号で記録するので、記録した映像および音声については殆ど経時劣化しない。
【０００３】
また、記録媒体に記録されている映像および音声を別の記録媒体に複写する際に、この別の記録媒体の空き容量に応じて複写する映像および音声の圧縮率を決定する装置が特許文献１で提案されている。この装置は、複写する映像および音声が途切れることなく１枚の記録媒体に記録されるように圧縮率を決定することにより、記録媒体の記録領域の有効利用を図っている。
【特許文献１】特開２００３−１２３３８６号公報
【発明の開示】
【発明が解決しようとする課題】
【０００４】
しかしながら、特許文献１で提案されているのは、複写元の記録媒体にディジタル信号で記録されている映像および音声を、複写先の記録媒体にディジタル信号で複写する装置である。言い換えれば、ビデオテープにアナログ信号で記録された映像および音声をディジタル信号でＤＶＤに複写したり、反対にＤＶＤにディジタル信号で記録された映像および音声をアナログ信号でビデオテープに複写する装置ではなかった。したがって、特許文献１で提案されている装置は、ビデオテープにアナログ信号で記録した映像および音声を、いつまでも鮮明に残すためにＤＶＤに複写するのに利用できず、このような複写を行う多くのユーザが、ビデオテープやＤＶＤの記録領域を有効利用できないという問題があった。
【０００５】
なお、ＤＶＤに記録されている映像や音声を、ビデオテープに複写することも一般に行われている。
この発明の目的は、映像および音声をディジタル信号で記録する光ディスクと、映像および音声をアナログ信号で記録するビデオテープとの間で、相互に映像および音声の複写が行え、且つ映像および音声を複写する記録媒体の記録領域を有効に利用できるダビング装置を提供することにある。
【課題を解決するための手段】
【０００６】
この発明のダビング装置は、上記課題を解決するために以下の構成を備えている。
【０００７】
本体にセットされた光ディスクに対する映像および音声の記録、および前記光ディスクに記録されている映像および音声の再生を行う第１の記録再生手段と、
本体にセットされたビデオテープに対する映像および音声の記録、および前記ビデオテープに記録されている映像および音声の再生を行う第２の記録再生手段と、を備えたダビング装置において、
前記第１の記録再生手段により前記光ディスクに記録されている映像および音声を再生し、前記第２の記録再生手段により再生されている映像および音声を前記ビデオテープに記録する第１の複写手段と、
前記第２の記録再生手段により前記ビデオテープに記録されている映像および音声を再生し、前記第１の記録再生手段により再生されている映像および音声を前記光ディスクに記録する第２の複写手段と、
前記第１の複写手段の実行が指示されたときに、本体にセットされているビデオテープの残量、およびこのビデオテープへ複写する映像および音声の再生時間を検出し、ここで検出したビデオテープの残量および再生時間に基づいてビデオテープに対する映像および音声の記録を標準モードで行うか、３倍速モードで行うかを決定する第１の記録モード決定手段と、
前記第２の複写手段の実行が指示されたときに、本体にセットされている光ディスクの空き容量、およびこの光ディスクへ記録する映像および音声の再生時間を検出し、ここで検出した光ディスクの空き容量および再生時間に基づいて光ディスクに記録する映像および音声の圧縮率を予め定められた複数の圧縮率の中から決定する第２の記録モード決定手段と、を備えている。
【０００８】
この構成では、第１の複写手段がディジタル信号で光ディスクに記録されている映像および音声をビデオテープにアナログ信号で複写し、第２の複写手段がアナログ信号でビデオテープに記録されている映像および音声を光ディスクにディジタル信号で記録する。また、第１の複写手段の実行が指示されたとき、第１の記録モード決定手段が本体にセットされているビデオテープの残量、およびこのビデオテープへ複写する映像および音声の再生時間を検出し、これらに基づいてビデオテープに対する映像および音声の記録を標準モードで行うか、３倍速モードで行うかを決定する。例えば、映像および音声を標準モードで複写した場合に、ビデオテープが不足しなければ（標準モードで映像および音声の複写が途切れることなく行える場合）標準モードに決定し、反対にビデオテープが不足すれば３倍速モードに決定する。さらに、第２の複写手段の実行が指示されたとき、第２の記録モード決定手段が本体にセットされている光ディスクの空き容量、およびこの光ディスクへ複写する映像および音声の再生時間を検出し、これらに基づいて光ディスクに記録する映像および音声の圧縮率を予め定められた複数の圧縮率の中から選択する。例えば、予め定められている複数の圧縮率毎に、映像および音声の複写に必要な光ディスクの記憶容量を算出し、ここで算出した記憶容量の中で、本体にセットされている光ディスクの空き容量よりも小さく、且つ最大である記憶容量の圧縮率を選択する。
【０００９】
したがって、映像および音声をディジタル信号で記録する光ディスクと、映像および音声をアナログ信号で記録するビデオテープとの間で、相互に映像および音声の複写が行え、且つ映像および音声を複写する記録媒体（ビデオテープ、および光ディスク）の記録領域を有効に利用できる。
【００１０】
また、本体にセットされているビデオテープの残量は、このビデオテープを最後まで早送りすることにより自動的に且つ正確に検出できる。この場合、早送りした分だけビデオテープを巻き戻してから、映像および音声の複写を開始する。
【００１１】
また、光ディスクに複写する映像および音声の再生時間も、本体にセットされているビデオテープを早送りし、コントロール信号をカウントすることにより自動的に且つ正確に検出できる。この場合、早送りした分だけビデオテープを巻き戻してから、映像および音声の複写を開始する。
【００１２】
なお、ビデオテープに映像および音声を記録する際、再生時にテープ走行速度とビデオヘッドの回転位置の関係を記録時の関係に合わせるために用いるコントロール信号をビデオテープに記録している。言い換えれば、映像および音声が記録されていない領域にはコントロール信号が記録されていないので、上述したようにコントロール信号をカウントすることにより、映像および音声が記録されていないビデオテープの未記録領域を複写する映像および音声が記録されている領域であると判断することがなく、光ディスクに複写する映像および音声の再生時間を自動的に且つ正確に検出できる。
【００１３】
さらに、前記第１の複写手段の実行を指示する第１のボタンと、前記第２の複写手段の実行を指示する第２のボタンを有する入力手段を備えることにより、ユーザの操作性の向上が図れる。
【発明の効果】
【００１４】
この発明によれば、映像および音声をディジタル信号で記録する光ディスクと、映像および音声をアナログ信号で記録するビデオテープとの間で、相互に映像および音声の複写が簡単に行え、ユーザの操作性や使い勝手を大幅に向上できるとともに、映像および音声を複写する記録媒体の記録領域を有効に利用できる。
【発明を実施するための最良の形態】
【００１５】
以下、この発明の実施形態であるダビング装置について説明する。
【００１６】
図１は、この発明の実施形態であるダビング装置の構成を示すブロック図である。ダビング装置１は、本体の動作を制御する制御部２と、本体にセットされているＤＶＤ１０に記録されている映像および音声の再生、およびＤＶＤ１０への映像および音声の記録を行う第１の記録再生部３と、本体にセットされているビデオテープ１１に記録されている映像および音声の再生、およびビデオテープ１１への映像および音声の記録を行う第２の記録再生部４と、ＤＶＤ１０とビデオテープ１１との間における映像および音声の複写を制御する複写制御部５と、本体に対する入力操作を行う操作部６と、本体の動作状態、ユーザへのメッセージ等を表示する表示部７と、を備えている。ＤＶＤ１０は映像および音声をディジタル信号で記録し、ビデオテープ１１は映像および音声をアナログ信号で記録する。
【００１７】
第１の記録再生部３には、ピックアップヘッド、ＤＶＤ１０から読み取った映像および音声にかかるディジタル信号をデコードするデコーダ、ＤＶＤ１０に記録する映像および音声にかかるディジタル信号をエンコードするエンコーダが設けられている。第１の記録再生部３は、デコーダでデコードした信号を再生信号として複写制御部５に渡す。また、複写制御部５から渡された記録信号をエンコーダでエンコードし、ＤＶＤ１０に記録する。エンコーダは、制御部２から指示された圧縮率で記録信号を圧縮する。第２の記録再生部４は、ビデオテープ１１から読み取った映像および音声を読み取る再生磁気ヘッドや、ビデオテープ１１への映像および音声の記録を行う記録磁気ヘッドを備えている。第２の記録再生部４は、ビデオテープ１１から読み取った映像および音声のアナログ信号を再生信号として複写制御部５に渡し、制御部２から指示された記録モード（標準モード、または３倍速モード）で複写制御部５から渡された記録信号をビデオテープ１１に記録する。
【００１８】
複写制御部５には、図示していないがディジタル入力端子、ディジタル出力端子、アナログ入力端子、アナログ出力端子が接続されている。また、Ａ／Ｄ変換部、およびＤ／Ａ変換部を備えている。複写制御部５は、ＤＶＤ１０からビデオテープ１１へ映像および音声を複写（ダビング）するとき、第１の記録再生部３から出力された再生信号（ディジタル信号）をＤ／Ａ変換部でＤ／Ａ変換し、これを記録信号として第２の記録再生部４に渡す。また、このときディジタル出力端子に第１の記録再生部３から出力された再生信号をそのまま出力し、アナログ出力端子に第１の記録再生部３から出力された再生信号をＤ／Ａ変換した記録信号を出力する。また、複写制御部５は、ビデオテープ１１からＤＶＤ１０へ映像および音声を複写するとき、第２の記録再生部４から出力された再生信号（アナログ信号）をＡ／Ｄ変換部でＡ／Ｄ変換し、これを記録信号として第１の記録再生部３に渡す。また、このときアナログ出力端子に第２の記録再生部４から出力された再生信号をそのまま出力し、ディジタル出力端子に第２の記録再生部４から出力された再生信号をＡ／Ｄ変換した記録信号を出力する。
【００１９】
また、複写制御部５は、ディジタル入力端子に入力された映像および音声をＤＶＤ１０に記録させる場合、この入力されたディジタル信号をそのまま記録信号として第１の記録再生部３に渡す。また、ディジタル入力端子に入力された映像および音声をビデオテープ１１に記録させる場合、この入力されたディジタル信号をＤ／Ａ変換部でＤ／Ａ変換し、これを記録信号として第２の記録再生部４に渡す。また、複写制御部５は、アナログ入力端子に入力された映像および音声をＤＶＤ１０に記録させる場合、この入力されたアナログ信号をＡ／Ｄ変換部でＡ／Ｄ変換し、これを記録信号として第１の記録再生部３に渡す。さらに、アナログ入力端子に入力された映像および音声をビデオテープ１１に記録させる場合、この入力されたアナログ信号をそのまま記録信号として第２の記録再生部４に渡す。
【００２０】
第１の記録再生部３は複写制御部５から渡された記録信号（ディジタル信号）をＤＶＤ１０に記録し、第２の記録再生部４は複写制御部から渡された記録信号（アナログ信号）をビデオテープ１１に記録する。複写制御部５が、この発明で言う第１の複写手段、および第２の複写手段に相当する。操作部６には、ＤＶＤ１０からビデオテープ１１への映像および音声の複写を行うときにユーザが操作する第１の複写ボタン６ａ、ビデオテープ１１からＤＶＤ１０への映像および音声の複写を行うときにユーザが操作する第２の複写ボタン６ｂが設けられている。また、操作部６は、図示していないリモコン装置から送信されてきた本体に対する制御コマンドを受信する受信部を有している。
【００２１】
なお、この実施形態のダビング装置１は、ＤＶＤ１０とビデオテープ１１との間における映像および音声の複写にかかる動作だけでなく、外部機器から入力された映像および音声をＤＶＤ１０またはビデオテープ１１に記録する記録動作や、ＤＶＤ１０またはビデオテープ１１から読み取った映像および音声を出力する再生動作を単独で行わせることもできる。
【００２２】
次に、この実施形態のダビング装置１の動作について説明する。図２は、この発明の実施形態であるダビング装置の動作を示すフローチャートである。ダビング装置１は、本体に対する入力の有無を監視している（ｓ１）。ダビング装置１は、本体に対する入力があると、今回の入力がＤＶＤ１０からビデオテープ１１への映像および音声の複写を指示する入力であれば、後述する第１の複写処理を実行する（ｓ２、ｓ３）。また、今回の入力がビデオテープ１１からＤＶＤ１０への映像および音声の複写を指示する入力であれば、後述する第２の複写処理を実行する（ｓ４、ｓ５）。また、今回の入力がこれら以外であれば、今回の入力に応じた処理（その他処理）を実行する（ｓ６）。ｓ６で実行されるその他の処理としては、例えばディジタル入力端子やアナログ入力端子に入力された映像および音声をＤＶＤ１０またはビデオテープ１１に記録する記録処理や、ＤＶＤ１０またはビデオテープ１１に記録されている映像および音声を再生する再生処理である。この再生処理おいては、複写制御部５がディジタル入力端子、およびアナログ入力端子にそれぞれ映像および音声の再生信号を出力する。
【００２３】
図３は、この発明の実施形態であるダビング装置における第１の複写処理を示すフローチャートである。ダビング装置１は、第１の複写ボタン６ａが操作されたときや、ＤＶＤ１０からビデオテープ１１への映像および音声の複写実行を指示する制御コマンドが、図示していないリモコン装置から送信されてきたとき、この処理を開始する。
【００２４】
まず、ダビング装置１は、本体にＤＶＤ１０、およびビデオテープ１１がセットされているかどうかを判断し、一方でもセットされていなければセットされるのを待つ（ｓ１１）。次に、ＤＶＤ１０に記録されている映像および音声のファイルの中から、今回ビデオテープ１１に複写するファイルの指定を受け付け（ｓ１２）、ここで受け付けたファイルの再生時間を検出する（ｓ１３）。ＤＶＤ１０は、記録している映像および音声のファイル毎に、ファイル名や再生時間等を含むファイル情報をリードイン領域に記録している。ｓ１３では、ｓ１２で指定されたファイルについてのファイル情報を読み取ることにより、指定されたファイルの再生時間を得る。
【００２５】
そして、ダビング装置１は、本体にセットされているビデオテープ１１の残量を検出する（ｓ１４）。ｓ１４では、ビデオテープ１１を最後まで早送りして残量を検出する。また、ビデオテープ１１を最後まで早送りすると、今回早送りした分だけビデオをテープを巻き戻す。周知のようにビデオテープ１１に対する映像および音声の記録モードには、標準モードと３倍速モードがある。３倍速モードは、標準モードに比べて記録時間が３倍になるが、記録される映像の画質が劣る。ダビング装置１は、ｓ１３で検出した複写するファイルの再生時間と、ｓ１４で検出したテープの残量に基づいて、標準モードで記録可能であるかどうかを判定する（ｓ１５）。標準モードで記録可能であると判定すると、ビデオテープ１１の記録モードを標準モードに決定し（ｓ１６）、反対に記録不可能であると判定すると、ビデオテープ１１の記録モードを３倍速モードに決定する（ｓ１７）。ダビング装置１は、ｓ１７でビデオテープ１１の記録モードを３倍速モードに決定した場合、複写するファイルがビデオテープ１１に途切れることなく記録できるかどうかを判定する（ｓ１８）。
【００２６】
ダビング装置１は、ｓ１８で記録できないと判定すると、表示部７にその旨を表示し（ｓ１９）、今回のＤＶＤ１０からビデオテープ１１への映像および音声の複写を中止するかどうかの入力をユーザに要求する。ｓ１９にかかる表示により、本体にセットされているビデオテープ１１にＤＶＤ１０から映像および音声を複写しても、最後まで複写できないことをユーザが認識する。そして、ユーザは映像および音声が最後まで複写されないことを認識した上で、今回の複写を行うかどうかを判断し、その結果を本体に入力する。また、ｓ１９で表示部７に複写できずに途切れる映像および音声の再生時間、例えば１０分や１０秒、を表示してもよい。このようにすれば、ユーザに適正な判断をさせるための情報を与えることもできる。
【００２７】
ダビング装置１は、ユーザにより今回のＤＶＤ１０からビデオテープ１１への映像および音声の複写の中止が入力されると、本処理を終了する。一方、ｓ１６でビデオテープ１１の記録モードを標準モードに決定した場合、ｓ１８で映像および音声が途切れることなく３倍速モードで記録できると判定した場合、およびｓ２０でユーザにより今回のＤＶＤ１０からビデオテープ１１への映像および音声の複写の実行が入力された場合、ＤＶＤ１０からビデオテープ１１への映像および音声の複写を開始する（ｓ２１）。ｓ２１では、第１の記録再生部３がｓ１２で指定されたＤＶＤ１０に記録されているファイルの再生を開始し、複写制御部５が第１の記録再生部３から渡された再生信号をＤ／Ａ変換部でＤ／Ａ変換した記録信号を第２の記録再生部４に渡す。第２の記録再生部４は、複写制御部５から渡された記録信号を、ｓ１６またはｓ１７で決定された記録モードでビデオテープ１１に記録する。
【００２８】
ダビング装置１は、今回のＤＶＤ１０からビデオテープ１１への映像および音声の複写を完了すると（ｓ２２）、複写動作を停止し（ｓ２３）、本処理を終了する。ｓ２２では、ｓ１２で指定されたファイルの複写が完了した場合、および本体にセットされているビデオテープ１１の記録位置がテープの終端に達した場合に、複写完了と判定する。また、ｓ２３では、ＤＶＤ１０の再生動作、およびビデオテープ１１への記録動作を停止する。
【００２９】
このように、この実施形態のダビング装置１によれば、ユーザは第１の複写ボタン６ａを操作するだけで、ＤＶＤ１０にディジタル信号で記録されている映像および音声をアナログ信号でビデオテープ１１に複写することができる。また、複写前にビデオテープ１１の残量、および今回複写する映像および音声の再生時間に基づいて、ビデオテープ１１に対する映像および音声の記録モードを決定するようにしたので、ビデオテープ１１を有効に利用することができる。
【００３０】
次に、ｓ５にかかる第２の複写処理について説明する。図４は、この発明の実施形態であるダビング装置における第１の複写処理を示すフローチャートである。ダビング装置１は、第２複写ボタン６ｂが操作されたときや、ビデオテープ１１からＤＶＤ１０への映像および音声の複写実行を指示する制御コマンドが、図示していないリモコン装置から送信されてきたとき、この処理を開始する。
【００３１】
まず、ダビング装置１は、本体にＤＶＤ１０、およびビデオテープ１１がセットされているかどうかを判断し、一方でもセットされていなければセットされるのを待つ（ｓ３１）。ダビング装置１は、ＤＶＤ１０およびビデオテープ１１の両方が本体にセットされると、ＤＶＤ１０に複写する映像および音声の再生時間を検出する（ｓ３２）。ｓ３２では、ビデオテープ１１を最後まで早送りし、コントロール信号をカウントすることにより、複写する映像および音声の再生時間を検出する。周知のように、ビデオテープ１１に映像および音声を記録する際、再生時にテープ走行速度とビデオヘッドの回転位置の関係を記録時の関係に合わせるために用いるコントロール信号をビデオテープ１１に記録している。言い換えれば、映像および音声が記録されていない領域にはコントロール信号が記録されていないので、ｓ３２ではコントロール信号をカウントすることにより、映像および音声が記録されていないビデオテープ１１の未記録領域を複写する映像および音声が記録されている領域であると判断することがない。また、ビデオテープ１１を最後まで早送りし、ＤＶＤ１０に複写する映像および音声の再生時間を検出すると、今回早送りした分だけビデオをテープ１１を巻き戻す。
【００３２】
次に、ダビング装置１は、本体にセットされているＤＶＤ１０の空き容量を検出する（ｓ３３）。ｓ３３では、ＤＶＤ１０のリードイン領域に記録されている情報を読み取ることにより、このＤＶＤ１０に記録されているファイルの総容量、およびＤＶＤ１０の総記憶容量を所得し、両者の差分を空き容量として検出する。また、ダビング装置１はＤＶＤ１０の記録モード毎にｓ３２で検出した再生時間の映像および音声の記録に必要な記録容量を算出する（ｓ３４）。ＤＶＤ１０の記録モードとは、記録する映像および音声の圧縮率であり、例えばＡ、Ｂ、Ｃ、Ｄ、Ｅ、Ｆの６段階の圧縮率が予め設定されている。ここでは、Ａ、Ｂ、Ｃ、Ｄ、Ｅ、Ｆの順に圧縮率が大きくなるものとする。また、圧縮率が大きくなるほど、ＤＶＤ１０に記録される映像の画質等が低下するが、必要になる記録容量は小さくなる。
【００３３】
ダビング装置１は、ｓ３４で記録モード毎に映像および音声の記録に必要な記録容量を算出すると、記録可能な記録モードがあるかどうかを判定する（ｓ３５）。ｓ３５では、最も圧縮率が高い記録モードで記録したときに必要になるＤＶＤ１０の記録容量が、ｓ３３で検出したＤＶＤ１０の空き容量以下であれば記録可能な記録モードがあると判定する。ダビング装置１は、ｓ３５で記録可能な記録モードがあると判定すると、今回の複写におけるＤＶＤ１０の記録モードを決定する（ｓ３６）。ｓ３６では、ｓ３４で記録モード毎に算出した必要な記録容量が、ｓ３３で検出したＤＶＤ１０の空き容量以下で、且つ最大である記録モード（圧縮率）を今回のＤＶＤ１０に対する映像および音声の記録モードに決定する。
【００３４】
一方、ダビング装置１は、ｓ３５で記録可能な記録モードが無いと判定すると、表示部７にその旨を表示し（ｓ３７）、今回のビデオテープ１１からＤＶＤ１０への映像および音声の複写を中止するかどうかの入力をユーザに要求する。ｓ３７にかかる表示により、本体にセットされているＤＶＤ１０にビデオテープ１１から映像および音声を複写しても、最後まで複写できないことをユーザが認識する。そして、ユーザは映像および音声が最後まで複写されないことを認識した上で、今回の複写を行うかどうかを判断し、その結果を本体に入力する。また、ｓ３７で表示部７に複写できずに途切れる映像および音声の再生時間を記録モード毎に表示してもよい。このようにすれば、ユーザに適正な判断をさせるための情報を与えることもできる。
【００３５】
ダビング装置１は、ｓ３８でユーザにより今回のビデオテープ１１からＤＶＤ１０への映像および音声の複写の中止が入力されたと判定すると、本処理を終了する。一方、ｓ３８でユーザにより複写の実行が入力されたと判定すると、記録モードの指定を受け付ける（ｓ３９）。このようにダビング装置１は、ビデオテープ１１からＤＶＤ１０への映像および音声の複写において、どの記録モードで記録してもＤＶＤ１０の空き容量が不足する場合、ユーザに記録モードを指定させる。
【００３６】
ダビング装置１は、ｓ３６でＤＶＤ１０記録モードを決定した場合、およびｓ３９でユーザによる記録モードの指定を受け付けた場合、ビデオテープ１１からＤＶＤ１０への映像および音声の複写を開始する（ｓ４０）。ｓ４０では、第２の記録再生部４がビデオテープ１１の再生を開始し、複写制御部５が第２の記録再生部４から渡された再生信号をＡ／Ｄ変換部でＡ／Ｄ変換した記録信号を第１の記録再生部３に渡す。第１の記録再生部３は、エンコーダにおいて複写制御部５から渡された記録信号を、ｓ３６で決定した記録モードまたはｓ３９で受け付けた記録モードで圧縮し、圧縮したデータをＤＶＤ１０に記録する。
【００３７】
ダビング装置１は、今回のビデオテープ１１からＤＶＤ１０への映像および音声の複写を完了すると（ｓ４１）、複写動作を停止し（ｓ４２）、本処理を終了する。ｓ４１では、ビデオテープ１１に記録されている映像および音声の複写が完了した場合、および本体にセットされているＤＶＤ１０に空き領域が無くなった場合に、複写完了と判定する。また、ｓ４２では、ビデオテープ１１の再生動作、およびＤＶＤ１０への記録動作を停止する。
【００３８】
このように、この実施形態のダビング装置１によれば、ユーザは第２の複写ボタン６ｂを操作するだけで、ビデオテープ１１にアナログ信号で記録されている映像および音声をディジタル信号でＤＶＤ１に複写することができる。また、複写前にＤＶＤ１０の空き容量、およびＤＶＤ１０に複写するビデオテープ１１に記録されている映像および音声の再生時間に基づいて、ＤＶＤ１０に対する映像および音声の記録モードを決定するようにしたので、ＤＶＤ１０の記録領域を有効に利用することができる。
【図面の簡単な説明】
【００３９】
【図１】この発明の実施形態であるダビング装置の構成を示すブロック図である。
【図２】この発明の実施形態であるダビング装置の動作を示すフローチャートである。
【図３】この発明の実施形態であるダビング装置における第１の複写処理を示すフローチャートである。
【図４】この発明の実施形態であるダビング装置における第１の複写処理を示すフローチャートである。
【符号の説明】
【００４０】
１−ダビング装置
２−制御部
３−第１の記録再生部
４−第２の記録再生部
５−複写制御部
６−操作部
６ａ−第１の複写ボタン
６ｂ−第２の複写ボタン
７−表示部
１０−ＤＶＤ
１１−ビデオテープ
【図１】
2005149559.tif 000003
【図２】
2005149559.tif 000004
【図３】
2005149559.tif 000005
【図４】
2005149559.tif 000006